(57)【特許請求の範囲】
【請求項１】
複数階にサービスを提供する複数のエレベータ（１０〜１２）を有するビルのエレベータ装置であって、
前記複数階に１つずつ設けられた複数のエレベータホール（５）を有し、これらのエレベータホールは、それぞれ前記複数のエレベータへの入口を備えるとともに、少なくとも１つの入口通路（６，７）を備えており、エレベータの潜在的な乗客（２１〜２３）が、この入口通路を通ってエレベータホール（５）に出入りすることができるようになっており、
複数のトランスポンダビーコン（１７，１８）を有し、これらの各ビーコンは、対応する前記入口通路の１つの近傍に配置されており、
各潜在的な乗客につきそれぞれ１つの複数のレスポンダ（２４〜２６）を有し、これらの各レスポンダは、乗客の識別コードを含む応答を送信することによって、前記トランスポンダビーコンの１つから受信した要求送信に応答し、テナントでない来客である潜在的な乗客のレスポンダは、このような潜在的な乗客を来客として識別する識別コードを有しており、
前記トランスポンダビーコンと接続された出発管理制御装置（１９）を有し、この出発管理制御装置は、乗客のレスポンダによって提供される応答を示す前記ビーコンからの信号を受信して、乗客がエレベータホールに入った入口経路を記録するとともに、その後、同じ乗客が別のトランスポンダビーコンを通過した場合に、乗客がエレベータホールを出たことを示すこの事実を記録し、このような記録を数日間に亘って保存して来客識別コードを有していない乗客用の乗客移動履歴を作成し、そして、前記移動履歴に従って、乗客が前記エレベータホールに入ったときに、この乗客をエレベータホールに入った際に直ぐにエレベータに乗車する可能性が高い利用者として指定するか、または前記エレベータホールを初めて通過する際にはエレベータに乗車する可能性が低い非利用者として指定し、履歴が不充分な新しい乗客は新しい乗客として指定し、前記出発管理制御装置は、利用者については直ちに呼びを入力し、新しい乗客と指定された乗客については数秒間エレベータ呼びの入力を遅延することを特徴とするエレベータ装置。
【請求項２】
前記数秒は、おおよそ５秒であることを特徴とする請求項１記載のエレベータ装置。
【請求項３】
前記出発管理制御装置は、来客と識別された乗客については直ちに呼びを入力することを特徴とする請求項１記載のエレベータ装置。
【請求項４】
前記出発管理制御装置は、来客と識別された乗客については数秒間の遅延後に呼びを入力することを特徴とする請求項１記載のエレベータ装置。
【請求項５】
前記出発管理制御装置は、非利用者であると識別された乗客が、最初に第１の入口通路を通ってエレベータホールに入り、かつ第２の入口通路を通ってエレベータホールを出るとともに前記通路の１つから前記エレベータホールに再度入った場合に、この乗客を利用者として指定して、該乗客が前記入口通路の１つを通ってエレベータホールに再度入った際にエレベータ呼びを直ちに入力することを特徴とする請求項１記載のエレベータ装置。
【発明の詳細な説明】
【０００１】
【技術分野】
本発明は、乗客の移動習慣の情報およびエレベータホールに出入りする乗客の移動の感知による、エレベータ呼びの選択式自動登録に関する。
【０００２】
【背景技術】
行先階に乗客を搬送するエレベータ性能を改善するために、最近注目されているのは、典型的になんらかの電磁式送信機を用いて呼びを入力する自動呼び入力装置である。このような装置には、呼びを入力するのに潜在的な乗客側の行動を必要としない受動型のものがある。受動型の装置では、エレベータ呼びは、乗客が着用したビーコンに応答する送信機などのトランスポンダによって入力される。ロビー外に乗客を迅速に移動させるために、呼びはできる限り早く入力される。しかし、このようにすると、ロビーまたは他のエレベータホールを通過する全ての人がエレベータを利用するわけではないので、間違った呼びが数多く入力されてしまう。
【０００３】
米国特許第４，６６２，４７９号では、測定手段が乗客位置を追跡し、乗客がエレベータに乗車した場合には行先呼びを入力するが、乗客がエレベータから離れた場合にはこの呼びを取り消す。これは、多数の乗客がいるときには、実行が非常に困難となる。
【０００４】
１９９８年１１月９日に出願された本出願人が有する米国特許第０９／１８９，１６１号では、乗客がエレベータに向かって前進すると、自動的に“遠方呼び”が登録されて、乗客の階にエレベータが接近する。しかし、乗客がエレベータの近傍に到達して、ここで彼の“近傍呼び”が入力されなければ、かごは停止しない。
【０００５】
【発明の開示】
本発明の目的は、エレベータ呼びの入力を可能な限り早く行うと同時に、自動的に入力される間違ったエレベータ呼びの数を最小化することを含む。
【０００６】
本発明では、少なくとも１つの入口経路を有するエレベータホールが、コード化されたレスポンダユニットを着用した潜在的な乗客がホールへ出入りするのを検知するために、各入口路の近傍に配置されたトランスポンダビーコンと、呼びを入力しないか、乗客のために作成された移動履歴または履歴の無いことに応じて、トランスポンダの応答の異なる遅延後に呼びを入力し、かつ乗客がロビーを出たことをレスポンダが指示した場合にその乗客の呼びを取り消す出発管理制御装置と、を備えている。本発明では、さらに、移動習慣を決定する履歴が不充分な乗客を新しい乗客に分類するとともに、乗客を来客、利用者、および非利用者に分類する。
【０００７】
利用者とは、通常、入口路を通ってエレベータホールに入り、かつ直ぐにエレベータに乗車すると予想される乗客である。非利用者とは、エレベータホールに入るが、ホールを通過してカフェテリアなどの他の施設へ行き、かつ最終的にエレベータホールに戻る乗客である。このような乗客がエレベータホールで別のトランスポンダによって検知されると、エレベータに乗車する準備が整ったことが指示される。履歴が無い新しい乗客に関しては、呼びは直ぐには入力されず、およそ５秒とすることができる時間遅延を用いて、乗客が望む場合にエレベータホールを通り抜ける時間を与える。実質的に毎回エレベータに乗車する利用者に関しては、直ちにエレベータ呼びが入力され、時間遅延は１０分の１秒以下である。
【０００８】
非利用者で、エレベータホールを通り抜けて別のトランスポンダを励起したものは、その後で利用者として扱うことができる。さらに本発明によると、移動パターンは、利用者のために入力された呼びが何度も続けて取り消されたか否かによって認識され、呼びが何度も続けて取り消された場合には、利用者は非利用者に変更される。新しい乗客は、エレベータを数回利用する中でエレベータホールを５秒以内に出なかった場合に利用者と見なされる。習慣を変更して、数日に亘ってエレベータホールを通り抜けないでエレベータを待つ非利用者は、利用者に変更される。本発明は、各乗客がいずれかのトランスポンダビーコンの近傍を通過するときに各乗客を識別する電磁式送信技術に依存する。
【０００９】
本発明の他の目的、特徴、および利点は、以下の実施形態の詳細な説明および添付図面によってより明らかとなる。
【００１０】
【発明を実施するための最良の形態】
図を参照すると、エレベータホール５が、入口路６とカフェテリア８に通じる通路７とを含む一対の入口通路を有している。３つのエレベータ１０〜１２が、対応するエレベータの行先を示すディスプレイ１３をそれぞれ有し得る。
【００１１】
本発明によると、複数のトランスポンダビーコン１７，１８が、それぞれ対応する入口通路６，７の１つの近傍に配置されており、これらのトランスポンダビーコンは、出発管理制御装置１９と接続されている。同様のトランスポンダビーコン（図示省略）は、ビルの他の階のエレベータホールにも配置される。トランスポンダ１７，１８は、エレベータホール５内に図示されているが、入口路６またはカフェテリア８に通じる入口通路などの隣接する空間に設けられてもよい。２つのトランスポンダビーコンのみが図示されているが、通常は、エレベータホール５への各入口路にそれぞれ１つずつ設けられる。
【００１２】
複数の乗客２１〜２３は、対応するレスポンダ２４〜２６を着用している。これらのレスポンダは、１つの実施例では搭載された電源を備えておらず、従来技術で周知の無線周波識別（ＲＦＩＤ）技術を利用して、電磁放射の受信によって電力供給を受ける。トランスポンダビーコン１７，１８が、認識可能な起動シーケンスを送信すると、各レスポンダが、メモリに記憶されたコードを送信するために起動される。これらのレスポンダは、従業員のバッジ、ピン、名札、フォッブなどに組み込むことができる。来客は、許可された行先階と有効日がプログラムされたレスポンダを備える使い捨ての名札を有することができる。他方、本発明の範囲内であれば、あらゆる無線周波応答装置を使用することができる。
【００１３】
例として、乗客２１について考えると、この乗客は、点線で示すように、入口路６を通過するときには非利用者となっている。これは、出発管理制御装置１９によって、乗客２１が、通常エレベータには直接向かわず、エレベータに乗車する前に入口路７を通ってカフェテリア８に入る際に他方のトランスポンダビーコン１８に応答することが認識されるからである。従って、乗客２１の呼びは、入口路６を通過する際には入力されない。しかし、その後、乗客２１が入口路７を通過するときに、彼のレスポンダがトランスポンダビーコン１８に対して再度応答すると、出発管理制御装置１９によって、このことが履歴からみて乗客２１がエレベータに乗車することにつながることが認識され、出発管理制御装置１９は呼びを入力する。
【００１４】
他の例を見てみると、乗客２３は、入口路６を通過する際にトランスポンダビーコン１７に応答している。乗客２３の履歴によって、彼女は、エレベータホールに入るときには通常エレベータに乗車することが示されるので、出発管理制御装置１９は、履歴に示される乗客２３の所望の行先階の呼びを直ちに入力する。しかし、乗客２３がエレベータホールの反対端に進んで、トランスポンダビーコン１８に応答した場合には、出発管理制御装置は、乗客２３がエレベータに乗車しない可能性を認識して、前に入力された呼びを取り消す。乗客が、次に数回ホールを訪れる中で何度もカフェテリア８に直行すると、出発管理制御装置１９は、トランスポンダ１７に対する第１の応答に関して、乗客２３の状態を利用者から非利用者に変更する。
【００１５】
また他の例を見ると、乗客２２は、初めてビルに入るので履歴を有していない。この場合には、出発管理制御装置１９は、トランスポンダビーコン１７を通して応答を受信した際に、呼びを入力する前に５秒間待って、乗客２２がレスポンダビーコン１８を通過するか否かを確認する。数日経つと、乗客２２の履歴が作成されるので、出発管理制御装置１９はこれに従って呼びを入力する。
【００１６】
来客の識別番号は、この乗客が来客であり、履歴がなく、かつ履歴を有する必要がないという事実の表示を含み、出発管理制御装置は、何らかのデフォルト方式で応答するように設定される。このような方式では、乗客が直ちにかごに乗車すると想定して、トランスポンダビーコン１７が来客の存在を感知すると直ぐに呼びを入力するか、または乗客がカフェテリア８へと通り抜けてトランスポンダビーコン１８に応答するかどうかを確認するために、呼びを入力する前に５秒待つように出発管理制御装置を設定することができる。
【００１７】
上述の特許および特許出願は、参考文献として本願に含まれる。
【００１８】
従って、本発明は、その例示的な実施例に従って開示および説明したが、当業者であれば分かるように、本願の趣旨および範囲から逸脱することなく、上述および種々の他の変更、省略、および追加を行うことができる。
【図面の簡単な説明】
【図１】  本発明を利用したエレベータホールの概略図である。
【図１】
0003964674.tif 000002